(57)【特許請求の範囲】
【請求項１】
（ｎ＋１）個の凸状部とｎ個（ｎは自然数）の凹状部とが交互に並んだ断面形状を有して形成された金属製の帯状面板からなる上部面板と、
前記帯状面板の長手方向４箇所で内側に折曲げ巻き回して側面が略ロ字状に形成された矩形枠状の支持部材と、からなり、
前記複数の上部面板の下部に、前記支持部材が複数直交して接合されているパレットであって、
前記支持部材の相対する上下方向の２面間に配置された補強部材を備え、
前記補強部材は断面コ字状を有し、
前記支持部材の長手方向両端部と、中間部の少なくとも１箇所と、において、
上下の帯状面板間の凸状部に嵌合され、
前記上部面板の長手方向の端部が下方にＬ字状につぶし曲げされた保護部を有することを特徴とする運搬用パレット。
【発明の詳細な説明】
【０００１】
【発明の属する技術分野】
本発明は、軽量で耐久性に優れ組立を容易に行うことのできる運搬用パレットに関する。
【０００２】
【従来の技術】
従来の運搬用パレットは、材料の入手しやすさや加工が容易であることから木製のパレットが多用されていた。木製パレットは重量物の積載の繰り返しによって変形や損傷が生じやすく、また環境問題等の観点から、最近では鋼板などの金属製パレットの使用が普及してきている。このような金属製パレットは強度はあるが重くなり、また加工も複雑に成りがちである。従来、コスト、重量、強度の面から様々な考案がなされており、例えば以下のような技術のものが知られている。
（ｉ）従来の金属製パレットは図７に示すように複数のコ字状断面を有する鋼製の縦部材４１と横部材４３を枠状に配置し、縦部材４１と横部材４３が互いに接する部分を溶接固定して枠体４９を構成し運搬用パレット５０としていた。
（ｉｉ）特開平１１−１５７５４０号公報には、四角形をしたポリプロピレン又は再生ポリプロピレンを射出成形法やプレス成形法により一体的に形成した面板に上面側が上方に開口した凹部となり且つ下面側が凹部にはめ込むことができる下方に突出した複数の脚部を垂設して、面板の下面側の脚部間にフォークの抜き差し方向の両端部及び下方に開口したフォーク差込み部を形成して、上下方向に整列して積み重ねるようにした運搬用パレットが記載されている。
（ｉｉｉ）実用新案登録第３０５３９６４号公報には、鉄板により三凸二凹状に一体に成型され、両側縁は内向きにＬ形状に折曲げられて緊迫端をなす面板と、一方に欠口を有するように一体的に成型され、その欠口の対応面の上下側にともに凹合欠口が形成される角柱とを備え、前記凹合欠口により、平行に対応する二枚の面板は前記角柱に嵌入されて組合せられ、点溶接によって接合するようにしたパレットが記載されている。
【０００３】
【発明が解決しようとする課題】
前記、従来の運搬用パレットは以下のような問題点を有していた。
（１）図７に示される従来の金属製の運搬用パレットは、重量が大きい割には強度に乏しく、溶接部分が多くなって多大な製作労力や大きな溶接装置を必要とするという問題点があった。
（２）特開平１１−１５７５４０号公報に記載の運搬用パレットは、ポリプロピレン等の合成樹脂からなるので耐久性に欠ける上に、可燃性であるために火災時には有毒ガスを発生し、特別な消化設備を必要とするという問題点があった。
（３）実用新案登録第３０５３９６４号公報に記載のパレットでは、上下側に凹合欠口が形成された複雑な形状の角柱により二枚の面板間にかかる荷重を支持するようにしているので、この欠口部等に応力が集中しやすく、耐久性に欠ける上にこの角柱の製造に際しては多くの工数がかかり経済性に欠けるという問題点があった。
本発明は上記問題点を解決するためになされたもので、軽量でしかも必要な耐久性を有すると共に、取り扱いの際や火災時等の安全に優れ、その製作および組立が容易な運搬用パレットを提供することを目的とする。
【０００４】
【課題を解決するための手段】
本発明の請求項１に記載の運搬用パレットは、（ｎ＋１）個の凸状部とｎ個（ｎは自然数）の凹状部とが交互に並んだ断面形状を有して形成された金属製の帯状面板からなる上部面板と、前記帯状面板の長手方向４箇所で内側に折曲げ巻き回して側面が略ロ字状に形成された矩形枠状の支持部材と、からなり、前記複数の上部面板の下部に、前記支持部材が複数直交して接合されているパレットであって、前記支持部材の相対する上下方向の２面間に配置された補強部材を備え、前記補強部材は断面コ字状を有し、前記支持部材の長手方向両端部と、中間部の少なくとも１箇所と、において、上下の帯状面板間の凸状部に嵌合され、前記上部面板の長手方向の端部が下方にＬ字状につぶし曲げされた保護部を有することを特徴とする。
【０００６】
上記構成によって以下の作用が得られる。
（１）帯状面板が複数（ｎ＋１（ｎは自然数））の凸状部と複数（ｎ）の凹状部が交互に並んだジグザグ状の断面を有するので、凸状部と凹状部とで形成される帯状面板の長手方向の折曲げに対する抗力を高めて、重量物を載荷しても撓まない剛性が得られ、パレット輸送における安定性を高めることができる。
（２）ジグザグ状の断面を有するので、全体の容積の割に軽量化することができ、空パレット移動の際には分解等が容易であり取り扱い性に優れている。
（３）上部面板及び支持部材を構成する帯状面板が金属板で成形されるので、火災時等でも有毒ガスを発生するようなことがなく安全に優れている。
（４）帯状面板が金属板からプレス成形やロール成形等により一体成形できるので、製作及び組立を容易に行え、運搬用パレットを安価に製造することができる。
（５）支持部材の相対する上下の帯状面板に平行に形成されてなる複数の凸状部のうちの両端の凸状部の対に、それぞれ補強部材が嵌合して組み合わされて構成されているので、補強部材の両端側を支持部材を構成する帯状面板の凸状部に嵌合させるだけでよく、極めて容易に組立て、分解を行うことができる。
（６）パレット載置面となる上部面板に補強部材で補強された支持部材を溶接により取り付けることもできるので、組立てを容易に行うことができる。
（７）支持部材が複数の上部面板の下部に直交して溶接等により固定配置されている場合には、運搬用パレットの強度を向上させ、重量物を安全に輸送できると共に、パレットの寿命を高めることができる。
（８）請求項１のパレットについては、この帯状面板を長手方向の４箇所で折り曲げて成る成形支持部材を用いることにより嵌合させる補強部材を減らした堅固なパレットとすることができ、部材の組立も容易なものとなる。
【０００７】
帯状面板に一体成形される金属製の板材は、鋼板などの他に、耐食性が求められる場合は亜鉛めっきなどを施しためっき鋼板、ステンレス鋼板などを用いて作成してもよい。また、軽量であることが必要とされる場合は、ジュラルミンなどのアルミニウム合金を用いてもよい。
補強部材は、例えば帯状の金属板をコの字形に折曲げて形成され、この補強部材を介して上下の一対の帯状面板を所定間隔を開けて平行に配置して結合支持させ支持部材がつぶれることなく補強することができる。
上記、上部面板、支持部材、補強部材等の接合は、溶接、ボルト締め、リベット加工など、公知の手段により接合できる。
【００１０】
【発明の実施の形態】
（実施の形態１）
以下、本発明の実施の形態である第１の実施の形態を図面を用いて詳細に説明する。
図１は実施の形態１の運搬用パレットの斜視図である。
図１において、１０は実施の形態１の運搬用パレット、１１は凸状部１１ａと凹状部１１ｂが交互に配置されたジグザグ状の断面を有した帯状面板からなる上部面板、１２は帯状面板の両側の凸状部１１ａの端部を内側に曲げて形成されたＬ字状部、１３は凹状部１１ｂの裏面側の所定箇所にその上面側を溶接して配置され帯状面板を長手方向の４箇所で内側に折曲げて巻き回した面１３ａ〜１３ｅからなる全体が枠状（側面が略ロ字状に形成された状態）に成形された支持部材、１４は支持部材１３の相対する上下方向の２面１３ａ、１３ｃ間又は面１３ｅ、１３ｃ間に配置された補強部材である。
運搬用パレット１０は、支持部材１３を複数本（この場合３本）を平行に並べて配置し、複数本（この場合５本）の上部面板１１を支持部材１３，１３，１３を跨ぐように上部に載せ、各接触点を固着接合したものである。固着接合はスポットやシーム溶接、ボルト締め、リベットかしめなど公知の手段を用いることができる。
【００１１】
上部面板１１及び支持部材１３を構成する帯状面板は図２に示すように、複数（ｎ＋１、図では３個）の凸状部１１ａと複数（ｎ、図では２個）の凹状部１１ｂが交互に並び、さらに幅方向両端の凸状部１１ａの外側の端部が内側にＬ字状に曲げられて形成されたＬ字状部１２を備え、全体が帯状等の金属板から一体に成形されている。
このようなジグザグ状の断面を備えた帯状面板と補強部材１４により補強された支持部材１３を備えた構造とすることにより、運搬用パレット１０上に重量物を載荷しても撓まない剛性が得られる。なお、前記自然数ｎは例えば、２〜１０の範囲に設定できる。
【００１２】
図３に示すように、支持部材１３は、帯状面板をその長手方向の４箇所で内側に折り曲げて面１３ａ〜１３ｅを形成し、これらで囲まれた側面ロ字状の矩形枠状に成形したものである。この折り曲げ加工は、プレスブレーキなどを用いて折り曲げ線部分をつぶし曲げして容易に行うことができる。又、折り曲げ線に相当する帯状面板の凹状部と、凹状部と凸状部をつなぐ直角立ち上がり面の部分とを、あらかじめ切り欠いておけば、更に容易に折り曲げ加工ができる。なお、帯状面板を帯状の平板金属板から成形する際に、この折り曲げ線に相当する部分の一部を、予め平板金属板の状態でパンチングプレス等で抜いて、折り曲げ線上の一部に貫通孔を形成しておくことにより容易に折曲げられるようにしておくこともできる。
【００１３】
図４（ａ）に示すように、補強部材１４は、その断面形状を面１４ａ〜１４ｃで囲まれたコ字形に形成したり、ロ字状とすることもできる。補強部材１４は上記のような断面構造を有するように折り曲げ加工して形成される。この折り曲げ部の幅の面１４ａを凸状部１１ａの幅とし、両端部の凸状部１１ａに嵌合させる場合はさらに端部の幅分だけ狭めた幅とする。
なお、コ字形の方向を図とは９０度異なる方向となるように配置（図４（ｂ）参照）することや、更に端部を内側に折り曲げた断面Ｃ字状にすることもできる（図４（ｃ）参照）。本発明では、これらのコ字状、ロ字状、Ｃ字状を、併せてコ字状という。
【００１４】
図１に示すように、支持部材１３の両端部、及び中間部の少なくとも１箇所において、補強部材１４が支持部材１３の相対する上下２面の帯状面板間に配置される。また、必要に応じて上部面板１１の帯状面板の端部を折り曲げて支持部材１３に溶接やボルト締めしたり、Ｌ字状の金具等の補強板を取り付けて溶接やボルト締めしたりして組み合わせて全体を補強することもできる。
【００１５】
実施の形態１の運搬用パレット１０は以上のように構成されているので以下の優れた作用を有する。
（１）上部面板１１及び支持部材１３を構成する帯状面板が凸状部と凹状部が交互に並んだ断面を有するので、この断面が伸延する方向の折り曲げに対する抗力を高め耐久性と安定性を保持させることができる。
（２）全体の容積の割に軽量化でき、空パレット移動の際等の分解・組み立ての取り扱いを容易にできる。
（３）運搬用パレット１０が金属板材から成形されるので、火災時等でも有毒ガスを発生するようなことがなく安全性に優れている。
（４）上部面板１１及び支持部材１３が金属板からプレス成形やロール成形等により一体成形できるので、その製作及び組立てを容易にでき、運搬用パレット１０を安価に製造することができる。
（５）帯状面板の幅方向両端部を曲げて形成されたＬ字状部１２を形成すれば、尖った端部が人や他の載置物に接触しても損傷を軽減することができる。
（６）帯状面板の裏面側に補強部材１４で補強された軽量の支持部材１３を取り付けるので、パレットの組立て・分解を容易に行うことができる。
（７）支持部材１３を上部面板１１の下部に溶接やボルト締めして配置すれば、これによって運搬用パレット１０の強度を向上させ重量物を安定に輸送できると共に、パレットの寿命を高めることができる。
（８）帯状面板を折曲げ巻き回して形成された支持部材１３を補強部材１４で補強しているので、支持部材１３として必要な構造強度を維持させたままで軽量化を図ることができる。
（９）コの字状断面の補強部材１４は、形状が複雑でないため製作が容易でかつ安価であり、この補強部材１４を適宜な個数を配置・取り外しをすることにより、載置物の重量に応じたパレットを構成できる。
【００１６】
（実施の形態２）
本発明の実施の形態２の運搬用パレットについて説明する。
図５は実施の形態２の運搬用パレットの要部拡大斜視図である。
図５において、２０は実施の形態２の運搬用パレット、２１、２１ａは、凸状部１１ａと凹状部１１ｂ（図２参照）が交互に配置されたジグザグ状の断面をそれぞれ表裏反転させた帯状面板からなる上下一対の上部支持板及び下部支持板、２２は上部支持板２１及び下部支持板２１ａの両端側の凸状部１１ａの端部をそれぞれ内側に曲げて形成されたＬ字状部、２３は上部支持板２１、下部支持板２１ａのそれぞれの凸状部１１ａの裏面側にその上下の基端部がそれぞれ嵌合して、点溶接等により固定されたコ字状断面を有した補強部材、２４は上部支持板２１、下部支持板２１ａ及び補強部材２３からなる支持部材、２５は上部支持板２１の上に溶接等で固定配置されたパレット載置面となる上部面板、２６は上部面板２５の帯状面板の長手方向の端部が下方にＬ字状につぶし曲げされて形成された保護部である。
【００１７】
図６は、支持部材２４における上部支持板２１及び下部支持板２１ａと補強部材２３との結合状態を示す模式断面図である。
図６に示すように、本実施の形態２の支持部材２４は、帯状面板からなる上部支持板２１及び下部支持板２１ａと、これらを連結する補強部材２３とからなる。そして図６（ａ）に示すように、補強部材２３の上下端部は、上部支持板２１、下部支持板２１ａの中央の凸状部１１ａの裏側に嵌合して上部支持板２１と下部支持板２１ａとを連結構成している。
又、図６（ｂ）に示すように、上部支持板２１、下部支持板２１ａの幅方向両端の両凸状部１１ａに、補強部材２３の上下端部を嵌合して組み合わせ連結することもできる。補強部材２３の個数は、載置される物の重量に応じて適宜決めることができ、変形を生じにくい運搬用パレットとすることができる。
【００１８】
このようにして、補強部材２３により、それぞれ帯状面板からなる上部支持板２１及び下部支持板２１ａを組み合わせて連結構成された支持部材２４を複数本平行に配置し、それらの支持部材２４の上に直交する方向に重ねるようにして上部面板２５を複数本載せ、上部支持板２１の上面と上部面板２５の下面を各接触点で点溶接やボルト締めすることにより、本実施の形態２の運搬用パレット２０が形成される。
この場合、上部支持板２１の上に配置されるパレット載置面となる上部面板２５の鋭利な切断部が露出した端部側を下方にＬ字状につぶし曲げることにより保護部２６を形成させることができる。保護部２６を形成することで、帯状面板からなる上部面板２５の切断端面が露出するのを防止し、作業者の身体や衣服が傷付くのを回避することができる。なお、帯状面板を折り曲げる加工法は、実施の形態１で述べた帯状面板を内側に折り曲げる加工法を適用すれば、Ｌ字状の折り曲げ加工が容易となる。
【００１９】
実施の形態２の運搬用パレット２０は以上のように構成されているので、以下の優れた作用を有する。
（１）複数本の帯状面板からなる上部支持板２１、下部支持板２１ａを補強部材２３によって互いに結合した支持部材２４に上部面板２５を積層しているので、構造体全体としての強度や剛性を高めることができる。
（２）支持部材２４及び上部面板２５のそれぞれの帯状面板のジグザグ状の断面の方向を交互に９０度ずつずらして配置し、これによって運搬用パレット２０の面をねじる方向に対する抗力を高め、運搬用パレット２０を輸送する際の安定性を良好にできる。
（３）各上部支持板２１、下部支持板２１ａの凸状部１１ａの裏面側に補強部材２３の上下の端部を嵌合させることによって連結積層させ、その組立て。分解を容易に行うことができ作業性に優れている。
（４）保護部２６を形成することにより、人や載置物等が運搬用パレット２０に接触してもその損傷を最小限度に留めることができ、パレットの取り扱い時や輸送時における安全性を確保できる。
（５）パレット載置面となる上部面板２５の帯状面板の端部を内側にＬ字状につぶし曲げるだけで簡単に保護部２６を形成できるので、極めて容易に運搬用パレット２０を制作することができ、経済性にも優れている。
【００２０】
【発明の効果】
本発明の運搬用パレットは、複数の凸状部と凹状部が交互に並んだ断面形状を有するように一体成形された鋼板等の金属製の帯状面板からなる上部面板と、支持部材とを、鋼板製の、製作が容易な形状の補強部材等を介して凸状部に嵌合して補強して組み合わせる連結したものであるので、パレットの組立て・分解が容易で、かつ軽量で堅固にできる。
【図面の簡単な説明】
【図１】本発明の実施の形態１の運搬用パレットの斜視図である。
【図２】実施の形態１の運搬用パレットにおける帯状面板の斜視図である。
【図３】実施の形態１の運搬用パレットにおける支持部材の斜視図である。
【図４】実施の形態１の運搬用パレットにおける補強部材の斜視図である。
【図５】本発明の実施の形態２の運搬用パレットの要部斜視図である。
【図６】実施の形態２の支持部材の構造を示す概略図である。
【図７】従来例における運搬用パレットの斜視図である。
【符号の説明】
１０：  実施の形態１の運搬用パレット
１１：  上部面板
１１ａ：  凸状部
１１ｂ：  凹状部
１２：  Ｌ字状部
１３：  支持部材
１３ａ〜１３ｅ：  支持部材の面
１４：  補強部材
１４ａ〜１４ｃ：  補強部材の面
２０：  実施の形態２の運搬用パレット
２１：  上部支持板
２１ａ：  下部支持板
２２：  Ｌ字状部
２３：  補強部材
２４：  支持部材
２５：  上部面板
２６：  保護部
【図１】
0003594926.tif 000002
【図２】
0003594926.tif 000003
【図３】
0003594926.tif 000004
【図４】
0003594926.tif 000005
【図５】
0003594926.tif 000006
【図６】
0003594926.tif 000007
【図７】
0003594926.tif 000008